(57)【特許請求の範囲】
【請求項１】
第１及び第２部分を含む少なくとも２つの部分に分割され且つ第１及び第２部分の間にサンプルピンを保持するトング部と、第１及び第２部分のそれぞれに結合された第１及び第２板バネ部と、第１及び第２板バネ部に結合された軸部とを有する本体部と、前記本体部から分離され且つ第１及び第２部分の外側面にそれぞれ当接するように配置される第１及び第２押さえ部とを備え、
第１及び第２板バネ部は、それぞれ、第１及び第２部分を前記軸部の中心軸から遠ざける方向のバネ力を第１及び第２部分に加え、
第１及び第２部分の外側面は、それぞれ、前記軸部の中心軸から第１及び第２部分の外側面までの距離が互いに異なる短距離部及び長距離部を有することを特徴とするサンプルピン保持アタッチメント。
【請求項２】
第１及び第２部分は、互いに接触した際に第１及び第２部分の間に近位端側が閉じていて遠位端側が円筒形である空間が形成されるように構成される請求項１に記載のアタッチメント。
【請求項３】
前記空間は、前記遠位端側から順に大径部と、大径部よりも直径が小さい小径部とを備える請求項２に記載のアタッチメント。
【請求項４】
第１及び第２部分は、それぞれ、遠位端において、外側面と内側面がどちらも半円筒形であり、
第１及び第２部分の遠位端側から見たときの前記軸部の中心軸に垂直な面において、第１及び第２部分の内側面の半円の直線部は、第１及び第２部分の外側面の半円の直線部に重なり、第１及び第２部分の内側面の半円の曲率中心は、それぞれ、第１及び第２部分の外側面の半円の曲率中心からずれていて且つ第１及び第２部分が互いに接触した際に前記軸部の中心軸に一致する請求項１〜３の何れか１つに記載のアタッチメント。
【請求項５】
請求項１〜４に記載のサンプルピン保持アタッチメントの使用方法であって、
第１及び第２部分の外側面にそれぞれ当接するように第１及び第２押さえ部を配置し、
第１及び第２押さえ部がそれぞれ第１及び第２部分の前記短距離部に当接するように前記軸部の中心軸を軸として第１及び第２押さえ部と前記本体部とを第１方向に相対的に回転させることによって前記トング部を開状態にし、
第１及び第２押さえ部がそれぞれ第１及び第２部分の前記長距離部に当接するように前記軸部の中心軸を軸として第１及び第２押さえ部と前記本体部とを第１方向とは逆の第２方向に相対的に回転させることによって前記トング部を閉状態にする工程を備えるサンプルピン保持アタッチメントの使用方法。
【請求項６】
第１及び第２押さえ部と前記本体部との相対的な回転は、第１及び第２押さえ部を不動にし且つ前記本体部を回転させることによって行う請求項５に記載の方法。
【発明の詳細な説明】
【技術分野】
【０００１】
本発明は、サンプルピン保持アタッチメントに関する。
【背景技術】
【０００２】
従来、単結晶Ｘ線回折実験において凍結試料を自動交換するための装置（サンプルチェンジャー）として、特許文献１に記載のものが知られている。
【０００３】
このサンプルチェンジャーは、両端に左右逆ネジを備えたサンプルピン（以下、「ネジ式のサンプルピン」と称する）を、一軸回転動作のみで実験装置に着脱する機能を有しており、放射光施設や実験室において迅速に実験を行うために利用されている。
【０００４】
但し、このサンプルチェンジャーは、従来より広く一般的に用いられているマグネットヘッドに装着する形式のサンプルピン（以下、「マグネット式のサンプルピン」と証する。例えばハンプトンリサーチ社製品等。）には対応していない。非特許文献１に代表されるように、マグネット式のサンプルピンを取り扱うためのサンプルチェンジャーは、現在までに多くの研究機関や企業などにより数多く開発されている。
【特許文献１】特許第３６４０３８３号
【非特許文献１】G. Snell et. al,"Automated Sample Mounting and Alignment System for Biological Crystallography at a Synchrotron Source", Structure, (2004). 12, pp537-545
【発明の開示】
【発明が解決しようとする課題】
【０００５】
上記２種類の方式のサンプルピンが存在しているにも関わらず、サンプルチェンジャーは、何れか一方の方式にのみ対応しているので、ユーザーが不便を強いられることがある。
【０００６】
本発明は、このような事情に鑑みてなされたものであり、ネジ式のサンプルピン対応のサンプルチェンジャーをマグネット式のサンプルピンに対応させることを可能にするサンプルピン保持アタッチメントを提供するものである。
【課題を解決するための手段及び発明の効果】
【０００７】
本発明のサンプルピン保持アタッチメントは、第１及び第２部分を含む少なくとも２つの部分に分割され且つ第１及び第２部分の間にサンプルピンを保持するトング部と、第１及び第２部分のそれぞれに結合された第１及び第２板バネ部と、第１及び第２板バネ部に結合された軸部とを有する本体部と、前記本体部から分離され且つ第１及び第２部分の外側面にそれぞれ当接するように配置される第１及び第２押さえ部とを備え、第１及び第２板バネ部は、それぞれ、第１及び第２部分を前記軸部の中心軸から遠ざける方向のバネ力を第１及び第２部分に加え、第１及び第２部分の外側面は、それぞれ、前記軸部の中心軸から第１及び第２部分の外側面までの距離が互いに異なる短距離部及び長距離部を有することを特徴とする。
【０００８】
本発明によれば、一軸回転動作によりトング部によるサンプルピンの挟持状態と解放状態とを変化させることができる。従って、本発明のサンプルピン保持アタッチメントをネジ式のサンプルピン対応のサンプルチェンジャーに取り付けることによって、このサンプルチェンジャーの一軸回転動作によってサンプルピンの挟持と解放を行うことができるようになり、マグネット式のサンプルピンへの対応が可能になる。
以下、種々の実施形態等を例示する。
【０００９】
トング部の第１及び第２部分は、互いに接触した際に第１及び第２部分の間に近位端側が閉じていて遠位端側が円筒形である空間が形成されるように構成されてもよい。マグネット式のサンプルピンは、多数の種類のものが存在しているが、そのベースの形状は、何れも円筒形であり、直径も同じである。従って、第１及び第２部分が上記構成を有する場合、第１及び第２部分の間の空間の円筒形の直径をサンプルピンのベースの直径と同じにすることによって、トング部がサンプルピンを挟持した際に前記空間が密閉空間となるため、この空間内に液体窒素を溜めることができ、サンプルピンに取り付けられたサンプル（凍結したタンパク質結晶等）を低温に保持することができる。
【００１０】
円筒形の前記空間は、前記遠位端側から順に大径部と、大径部よりも直径が小さい小径部とを備えてもよい。この場合、試料回りの空間体積を最小にすることにより、輸送中の空気の混入による霜付きを抑えることが出来る。
【００１１】
トング部の第１及び第２部分は、それぞれ、遠位端において、外側面と内側面がどちらも半円筒形であり、第１及び第２部分の遠位端側から見たときの前記軸部の中心軸に垂直な面において、第１及び第２部分の内側面の半円の直線部は、第１及び第２部分の外側面の半円の直線部に重なり、第１及び第２部分の内側面の半円の曲率中心は、それぞれ、第１及び第２部分の外側面の半円の曲率中心からずれていて且つ第１及び第２部分が互いに接触した際に前記軸部の中心軸に一致してもよい。トング部を比較的コンパクトにすることができる。
【００１２】
また、本発明は、上記記載のサンプルピン保持アタッチメントの使用方法であって、第１及び第２部分の外側面にそれぞれ当接するように第１及び第２押さえ部を配置し、第１及び第２押さえ部がそれぞれ第１及び第２部分の前記短距離部に当接するように前記軸部の中心軸を軸として第１及び第２押さえ部と前記本体部とを第１方向に相対的に回転させることによって前記トング部を開状態にし、第１及び第２押さえ部がそれぞれ第１及び第２部分の前記長距離部に当接するように前記軸部の中心軸を軸として第１及び第２押さえ部と前記本体部とを第１方向とは逆の第２方向に相対的に回転させることによって前記トング部を閉状態にする工程を備えるサンプルピン保持アタッチメントの使用方法も提供する。
第１及び第２押さえ部と前記本体部との相対的な回転は、第１及び第２押さえ部を不動にし且つ前記本体部を回転させることによって行ってもよい。この場合、構成がシンプルになるという利点がある
【００１３】
ここで示した種々の実施形態は、互いに組み合わせることができる。
【発明を実施するための最良の形態】
【００１４】
以下、本発明の一実施形態を図面を用いて説明する。図面や以下の記述中で示す内容は、例示であって、本発明の範囲は、図面や以下の記述中で示すものに限定されない。
【００１５】
１．サンプルピン保持アタッチメントの構成
図１〜図５を用いて、本発明の一実施形態のサンプルピン保持アタッチメントについて説明する。図１（ａ）〜（ｃ）は、本実施形態のサンプルピン保持アタッチメント１のトング部７が閉状態である場合の構成を示す。図１（ａ）は、平面図であり、図１（ｂ）は、右側面図であり、図１（ｃ）は、図１（ａ）中のＩ−Ｉ断面図である。図２（ａ）〜（ｃ）は、本実施形態のサンプルピン保持アタッチメント１のトング部７が開状態である場合の構成を示す。図２（ａ）は、平面図であり、図２（ｂ）は、右側面図であり、図２（ｃ）は、図２（ａ）中のＩ−Ｉ断面図である。図３（ａ）〜（ｃ）は、図１（ｂ）及び図２（ｂ）に対応した右側面図であり、トング部７が開閉する原理を説明するための図である。図３（ａ）〜（ｃ）では、第１押さえ部１７及び第２押さえ部１９は簡略化して表示している。図４は、本実施形態のサンプルピン保持アタッチメント１によって取り扱いが可能になるマグネット式のサンプルピン２３の一例を示す。正面図である。図５（ａ）〜（ｃ）は、本実施形態のサンプルピン保持アタッチメント１のトング部７で図４のサンプルピン２３を挟持した状態を示す。図５（ａ）は、平面図であり、図５（ｂ）は、右側面図であり、図５（ｃ）は、図５（ａ）中のＩ−Ｉ断面図である。
【００１６】
本実施形態のサンプルピン保持アタッチメント１は、第１部分３及び第２部分５に分割され且つ第１及び第２部分３、５の間にサンプルピン２３を保持するトング部７と、第１部分３と第２部分５のそれぞれに結合された第１板バネ部９及び第２板バネ部１１と、第１板バネ部９及び第２板バネ部１１に結合された軸部１３とを有する本体部１５と、本体部１５から分離され且つ第１及び第２部分３、５の外側面にそれぞれ当接するように配置される第１押さえ部１７及び第２押さえ部１９とを備える。第１及び第２板バネ部９、１１は、それぞれ、第１及び第２部分３、５を軸部１３の中心軸Ｘから遠ざける方向のバネ力を第１及び第２部分３、５に加える。第１及び第２部分３、５の外側面は、それぞれ、軸部１３の中心軸Ｘから第１及び第２部分３、５の外側面までの距離が互いに異なる短距離部Ｓ及び長距離部Ｌを有する。
【００１７】
第１及び第２押さえ部１７、１９は、本実施形態では、先端が丸まったネジからなり、第１及び第２押さえ部１７、１９は、リング２１に取り付けられている。リング２１は、軸部１３の中心軸Ｘを軸とした本体部１５の回転に対して不動となるように固定されている。
【００１８】
第１部分３と第２部分５には、それぞれ、半円筒形の溝２４ａ、２４ｂが形成されている。溝２４ａ、２４ｂは、第１部分３と第２部分５の遠位端（軸部１３から遠い方の端）から近位端（（軸部１３に近い方の端））に向かって軸部１３の中心軸Ｘに平行に延びる。溝２４ａ、２４ｂは、近位端にまでは到達していない。
第１部分３と第２部分５は、互いに接触した際に第１部分３と第２部分５の間に近位端側が閉じていて遠位端側が円筒形である空間２４が形成されるように構成される。前記円筒形の中心軸は、軸部１３の中心軸Ｘに一致する。空間２４は、遠位端から順に大径部２４ｃと、大径部２４ｃよりも直径が小さい小径部２４ｄを有している。大径部２４ｃと小径部２４ｄは、どちらも円筒形であり、中心軸が一致している。第１及び第２部分３、５の外側面は、それぞれ、半円筒形である。
【００１９】
２．サンプルピン保持アタッチメントの使用目的
まず、本実施形態のサンプルピン保持アタッチメント１の使用目的について説明する。
【００２０】
特許文献１に記載されているようなネジ式サンプルピン対応のサンプルチェンジャー（以下、「ネジ式サンプルチェンジャー」と称する。）では、ネジ溝が形成された凹部を先端に有する軸をアームの先端に取り付け、この軸を一方向に回転させることによってネジ式サンプルピンを保持し、逆方向に一軸回転させることによってネジ式サンプルピンを離脱させる構成を有している。
【００２１】
本実施形態のアタッチメント１は、後述するように、一軸回転動作によってマグネット式サンプルピンの保持及び離脱をさせることができる機能を有している。
【００２２】
従って、本実施形態のアタッチメント１は、ネジ溝が形成された凹部を先端に有する上記の軸の代わりにネジ式サンプルチェンジャーのアームに取り付けることによってネジ式サンプルチェンジャーをマグネット式サンプルピンに対応させるために用いることができる。
【００２３】
３．サンプルピン保持アタッチメントの動作
次に、本実施形態のアタッチメント１の動作について説明する。
【００２４】
図３（ａ）に示すように、本実施形態のアタッチメント１のトング部７の第１及び第２部分３、５は、それぞれ、遠位端において外側面と内側面がどちらも半円筒形である。従って、第１及び第２部分３、５の遠位端側から見たときの軸部１３の中心軸Ｘに垂直な面では、第１及び第２部分３、５の外側面と内側面は、どちらも半円である。内側面の半円の直線部は、外側面の半円の直線部に重なっており、内側面の半円の曲率中心Ｙは、第１及び第２部分の外側面の半円の曲率中心Ｚ１、Ｚ２からずれていて且つ第１及び第２部分３，５が互いに接触した際に軸部１３の中心軸Ｘに一致する。このため、トング部７の第１及び第２部分３、５の肉厚は、円周方向に勾配がついており、肉厚が厚い部分では薄い部分よりも中心軸Ｘから外側面までの距離が長くなる。このため、肉厚が厚い部分及び薄い部分がそれぞれ長距離部Ｌ及び短距離部Ｓとなる。
【００２５】
本実施形態のアタッチメント１では、図１（ａ）〜（ｃ）と図３（ａ）に示すように、トング部７の第１部分３の長距離部Ｌが第１押さえ部１７に当接し、トング部７の第２部分５の長距離部Ｌが第２押さえ部１９に当接しているとき、トング部７が閉状態になる。第１部分３と第２部分５には、それぞれ、第１板バネ部９及び第２板バネ部１１のバネ力によって中心軸Ｘから離れる方向（矢印Ａの方向）の力が加わっているが、第１押さえ部１７と第２押さえ部１９によって第１部分３と第２部分５の移動が妨げられ、図１（ａ）〜（ｃ）と図３（ａ）に示す状態が保持される。この状態がトング部７の閉状態である。
【００２６】
次に、軸部１３の中心軸Ｘを軸として軸部１３を図１（ａ）の矢印Ｂの方向に９０度回転させると、本体部１５の全体が一緒に軸部１３と共に回転する。このとき、トング部７は、図３（ａ）の状態から９０度右回転する。第１押さえ部１７と第２押さえ部１９は、本体部１５とは分離されており、軸部１３を回転させても第１押さえ部１７と第２押さえ部１９の位置は変化しない。
【００２７】
図３（ｂ）は、トング部７を９０度右回転させたときにトング部７が開かないと仮定した場合の状態である。図３（ｂ）の状態では、第１及び第２部分３、５の長距離部Ｌがそれぞれ第１及び第２押さえ部１７、１９から離れ、第１及び第２部分３、５の短距離部Ｓがそれぞれ第１及び第２押さえ部１７、１９に近づく。中心軸Ｘと短距離部Ｓの間の距離は、中心軸Ｘと長距離部Ｌの間の距離よりも短いので、第１及び第２部分３、５の短距離部Ｓと第１及び第２押さえ部１７、１９の間にそれぞれ隙間ができることになる。第１及び第２部分３、５には中心軸Ｘから離れる方向（矢印Ｃの方向）の力が加わっており、この力によって第１及び第２部分３、５が矢印Ｃの方向に移動し、図２（ａ）〜（ｃ）及び図３（ｃ）に示すように第１及び第２部分３、５の短距離部Ｓがそれぞれ第１及び第２押さえ部１７、１９に当接した時点で第１及び第２部分３、５が停止し、この状態が保持される。この状態がトング部７の開状態である。なお、図３（ｂ）は仮想的な状態であり、実際は、短距離部Ｓと第１及び第２押さえ部１７、１９の間には隙間はできず、軸部１３の回転に伴って第１及び第２部分３、５が少しずつ移動し（つまり、トング部７が少しずつ開き）、図３（ａ）の閉状態から図３（ｃ）の開状態となる。
【００２８】
また、図２（ａ）〜（ｃ）及び図３（ｃ）の状態から軸部１３の中心軸Ｘを軸として軸部１３を図２（ａ）の矢印Ｄの方向に９０度回転させると、トング部７は、図３（ｃ）の開状態から９０度左回転して図３（ａ）の閉状態になる。
【００２９】
なお、ここでは、トング部７が９０度右回転する場合を例にとって説明を行ったが、回転角度は、９０度以外であってもよい。また、長距離部Ｌと短距離部Ｓの配置を反対にしてもよく、この場合、トング部７の回転方向を反対にする。また、ここでは、第１及び第２押さえ部１７、１９が不動で本体部１５が回転する場合で説明を行ったが、本体部１５を不動にし第１及び第２押さえ部１７、１９を中心軸Ｘを軸として回転させても同様の効果が得られ、第１及び第２押さえ部１７、１９と本体部１５とを中心軸Ｘを軸として互いに逆方向に回転させても同様の効果が得られる。つまり、軸部１３の中心軸Ｘを軸として第１及び第２押さえ部１７、１９と本体部１５とが相対的に回転するようにすればよい。但し、第１及び第２押さえ部１７、１９を不動にし本体部１５を回転させる構成がシンプルであり好ましい。
【００３０】
４．マグネット式サンプルピンの保持及び離脱方法
次に、本実施形態のアタッチメント１を用いて図４に示すマグネット式サンプルピン２３の保持及び離脱方法を説明する。アタッチメント１の本体部１５は、一軸回転動作が可能なようにネジ式サンプルチェンジャーのアームの先端に取り付けられている。アタッチメント１の第１及び第２押さえ部１７、１９は、本体部１５の回転に対して不動になるようにネジ式サンプルチェンジャーのアームに固定されている。サンプルピン２３は、磁性材料からなるベース２５とサンプル保持部２７を有している。サンプルピン２３は、サンプル保存ラック上に載置されており、サンプル保存ラックは、液体窒素中に配置されている。
【００３１】
まず、トング部７を図２（ａ）〜（ｃ）及び図３（ｃ）の開状態にしてトング部７をサンプルピン２３に近づける。このとき、サンプルピン２３のサンプル保持部２７がトング部７の内部の空間２４の小径部２４ｄ内に配置され且つ空間２４の大径部２４ｃにおいてサンプルピン２３のベース２５を保持することができるように、トング部７をサンプルピン２３に近づける。
【００３２】
次に、図２（ａ）の矢印Ｄの方向に軸部１３を回転させる。これによって、トング部７が図１（ａ）〜（ｃ）及び図３（ａ）の閉状態になり、第１及び第２部分３、５でサンプルピン２３のベース２５が挟まれる。このときの状態を図５（ａ）〜（ｃ）に示す。
【００３３】
空間２４の大径部２４ｃの円筒形状とサンプルピン２３のペース２５の円筒形状は実質的に同じであり、大径部２４ｃにおいてサンプルピン２３のベース２５を保持すると、トング部７の内部の空間２４が密閉空間となる。サンプルピン２３は、液体窒素中に配置されているので、第１及び第２部分３、５でサンプルピン２３のベース２５を挟んだときに上記の密閉空間内に液体窒素が充填される。これによってサンプル保持部２７に保持されているサンプルを低温に保持することが可能になる。また、空間２４が小径部２４ｄを有しているので、空間２４内の試料回りの空間体積が小さくなり、輸送中の空気の混入による霜付きを抑えることが出来る。なお、小径部２４ｄは、サンプル保持部２７を収容できる形状であればよく円筒径以外の形状であってもよい。また、空間２４は、大径部２４ｃと小径部２４ｄを有さずに、中心軸Ｘの方向に沿って径が一定の円筒形であってもよい。
【００３４】
次に、サンプルチェンジャーのアームを移動させて実験装置のマグネットヘッドにサンプルピン２３のベース２５を取り付ける。
【００３５】
次に、図１（ａ）の矢印Ｂの方向に軸部１３を回転させる。これによって、トング部７が図２（ａ）〜（ｃ）及び図３（ｃ）の開状態になり、サンプルピン２３が解放される。
【００３６】
次に、サンプルピン２３のサンプル保持部２７に取り付けられたサンプルの測定を行う。
【００３７】
サンプルの測定が終わった後、上記と同様の方法で実験装置のマグネットヘッドの挟持及び解放を行うことによって実験装置のマグネットヘッドに取り付けられたサンプルピン２３をサンプル保存ラックに戻す。
【００３８】
以上の工程を繰り返すことによってサンプル保存ラック中の多数のサンプルピン２３について、実験装置のマグネットヘッドへの取り付け、測定、取り外しを順次行うことができる。これによって、多数のサンプルピン２３の各サンプルの測定を容易に行うことができる。
【００３９】
５．その他
アタッチメント１のトング部７の第１及び第２部分３、５の構成は、図１〜図５に示したものに限定されず、種々のものが考えられる。
【００４０】
例えば、図６の構成では、トング部７の第１及び第２部分３、５は、外側面が直方体状である。この場合、例えば４５度の一軸回転によってトング部７の開閉を行うことができる。
【００４１】
また、図７の構成では、トング部７の第１及び第２部分は、外側面と内側面の何れもが平面状になっている。図７の構成では、トング部７が閉状態の場合でも第１部分３と第２部分５が接触せずトング部７内に液体窒素を溜めることができないが、低温に保持する必要がないサンプルを取り扱う場合には、この点は特に問題ではない。
【００４２】
また、ここまでは、トング部７が２分割されている場合を例に挙げて説明を行ったが、トング部７は、３つ又はそれ以上に分割されていてもよい。
【００４３】
また、軸部１３、第１及び第２板バネ部９，１１並びに第１及び第２押さえ部１７，１９についても、その構成は上記のものに限定されず、同じ機能を有するものであれば、どのような構成のものであってもよい。
【００４４】
以上の実施形態で示した種々の特徴は、互いに組み合わせることができる。１つの実施形態中に複数の特徴が含まれている場合、そのうちの１又は複数個の特徴を適宜抜き出して、単独で又は組み合わせて、本発明に採用することができる。
【図面の簡単な説明】
【００４５】
【図１】図１（ａ）〜（ｃ）は、本発明の一実施形態のサンプルピン保持アタッチメントのトング部が閉状態である場合の構成を示す。図１（ａ）は、平面図であり、図１（ｂ）は、右側面図であり、図１（ｃ）は、図１（ａ）中のＩ−Ｉ断面図である。
【図２】図２（ａ）〜（ｃ）は、本発明の一実施形態のサンプルピン保持アタッチメントのトング部が開状態である場合の構成を示す。図２（ａ）は、平面図であり、図２（ｂ）は、右側面図であり、図２（ｃ）は、図２（ａ）中のＩ−Ｉ断面図である。
【図３】図３（ａ）〜（ｃ）は、図１（ｂ）及び図２（ｂ）に対応した右側面図であり、トング部が開閉する原理を説明するための図である。図３（ａ）〜（ｃ）では、第１押さえ部及び第２押さえ部は簡略化して表示している。
【図４】本発明の一実施形態のサンプルピン保持アタッチメントによって取り扱いが可能になるマグネット式のサンプルピンの一例を示す。
【図５】図５（ａ）〜（ｃ）は、本発明の一実施形態のサンプルピン保持アタッチメントのトング部で図４のサンプルピンを挟持した状態を示す。図５（ａ）は、平面図であり、図５（ｂ）は、右側面図であり、図５（ｃ）は、図５（ａ）中のＩ−Ｉ断面図である。
【図６】本発明の一実施形態のサンプルピン保持アタッチメントのトング部の別の構成例を示す図１（ｂ）及び図２（ｂ）に対応した右側面図である。
【図７】本発明の一実施形態のサンプルピン保持アタッチメントのトング部の別の構成例を示す図１（ｂ）及び図２（ｂ）に対応した右側面図である。
【符号の説明】
【００４６】
１：サンプルピン保持アタッチメント  ３：トング部の第１部分  ５：トング部の第２部分  ７：トング部  ９：第１板バネ部  １１：第２板バネ部  １３：軸部  １５：本体部  １７：第１押さえ部  １９：第２押さえ部  ２１：リング  ２３：マグネット式のサンプルピン  ２４：円筒形の空間  ２４ａ、２４ｂ：半円筒形の溝  ２４ｃ：円筒形の空間の大径部  ２４ｄ：円筒形の空間の小径部
２５：サンプルピンのベース  ２７：サンプルピンのサンプル保持部  Ｘ：軸部の中心軸  Ｙ：トング部の第１及び第２部分の内側面の半円の曲率中心  Ｚ１：トング部の第１部分の外側面の半円の曲率中心  Ｚ２：トング部の第２部分の外側面の半円の曲率中心  Ｌ：トング部の第１及び第２部分の外側面の長距離部  Ｓ：トング部の第１及び第２部分の外側面の短距離部
【図１】
0005099499.tif 000002
【図２】
0005099499.tif 000003
【図３】
0005099499.tif 000004
【図４】
0005099499.tif 000005
【図５】
0005099499.tif 000006
【図６】
0005099499.tif 000007
【図７】
0005099499.tif 000008